(57)【要約】【課題】家具を建物の下地にしっかりと連結することができ、それでいて、家具の正面寄りの位置を傷付けず、また、家具の上に置いた物が地震時に落下するのを防ぐことができ、しかも、それを簡素な構造で実現することができる家具転倒防止具を提供する。【解決手段】家具の上端部の正面側の上面部に載置される載置部２ａと、家具の正面側を垂下する抑え部２ｂと、家具の上端面よりも上方に突出する立ち上がり部２ｃとを備えた抑え材２、及び、抑え材２と家具背後の壁とを連結する索条３，３が備えられ、家具４が正面側に転倒しようとすると、家具４の上端部正面側と抑え材２の抑え部２ｂとの当接によって索条３，３が緊張状態に引っ張られ、家具の転倒を阻止するようになされている。【選択図】      図１
2006280692.tif 000002
【特許請求の範囲】
【請求項１】
家具の上端部の正面側の上面部に載置される載置部と家具の正面側を垂下する抑え部とを備えた抑え材、及び、抑え材と家具背後の壁とを連結する索条が備えられ、
家具が正面側に転倒しようとすると、家具の上端部正面側と抑え材の抑え部との当接によって索条が緊張状態に引っ張られ、家具の転倒を阻止するようになされていることを特徴とする家具転倒防止具。
【請求項２】
前記抑え材に、家具の上端面よりも上方に突出する立ち上がり部が備えられている請求項１に記載の家具転倒防止具。
【発明の詳細な説明】
【技術分野】
【０００１】
本発明は、家具転倒防止具に関する。
【背景技術】
【０００２】
地震対策の一環として、図３（イ）に示すように、壁５に沿わせて設置した家具４の転倒を防止するため、従来より、図３（ロ）に示すような突っ張り具５１とか、図３（ハ）に示すようなアングル金物５２とか、図３（ニ）に示すようなロープ、ワイヤー、チェーン等の索条具５３が提供されている。
【発明の開示】
【発明が解決しようとする課題】
【０００３】
しかしながら、突っ張り具４は、天井８側にしっかりとした下地がないと転倒防止に効かないし、アングル金物５２も、家具４と壁５側の下地６との距離が大きすぎたり、小さすぎたりすると、壁５側の下地に止められないという問題がある。
【０００４】
その点、索条具５３を用いたものは、家具４と壁５側の下地６との距離関係にあまり左右されることがなく、索条の長さ寸法を調整することで、壁５側の下地６に止め付けることができ、しっかりとした転倒防止状態を形成することができる。
【０００５】
しかしながら、索条具５３の場合、その一端を、家具４の上端部の正面寄りの位置に止め付ける必要があり、目立ちやすい家具の正面寄りを傷付けてしまうことになる。
【０００６】
また、家具４と天井８の間のスペースを物置きとして利用する場合に、突っ張り具５１はその妨げになるし、アングル金物５２や索条具５３では、物置きにすることはできるが、地震時に、家具４の上に置いた物が落ちてきて危険であり、それを防ぐには、別途、対策を講ずる必要がある。
【０００７】
本発明は、上記のような問題点に鑑み、家具を建物の下地にしっかりと連結することができ、それでいて、家具の正面寄りの位置を傷付けず、また、家具の上に置いた物が地震時に落下するのを防ぐことができ、しかも、それを簡素な構造で実現することができる家具転倒防止具を提供することも課題とする。
【課題を解決するための手段】
【０００８】
上記の課題は、家具の上端部の正面側の上面部に載置される載置部と家具の正面側を垂下する抑え部とを備えた抑え材、及び、抑え材と家具背後の壁とを連結する索条が備えられ、
家具が正面側に転倒しようとすると、家具の上端部正面側と抑え材の抑え部との当接によって索条が緊張状態に引っ張られ、家具の転倒を阻止するようになされていることを特徴とする家具転倒防止具によって解決される。
【０００９】
この家具転倒防止具では、抑え材が載置部を備え、該載置部が家具の上端部の正面側の上面部に載置され、抑え部がその載置部から家具の正面側を垂下するようになされており、そのような抑え材と背後の壁とを索条で連結するようになされているから、索条にある程度の傾斜を付けて壁に連結しても、家具の転倒を索条の引張りで有効的に阻止することができ、従って、索条を壁側の下地のあるところにしっかりと止め付けることができ、しかも、家具の正面側を傷付けることもない。
【００１０】
加えて、抑え材には、上記のような載置部が備えられていることにより、地震のない状態で、仮に索条に多少の緩みがあったとしても、抑え材が家具の正面側にみだりに垂れ込んでくるということもなく、きれいな納まり状態を維持することができる。
【００１１】
上記の家具転倒防止具において、抑え材に、家具の上端面よりも上方に突出する立ち上がり部が備えられている場合は、家具の上に置いた物が地震時に落下するのを抑え材の立ち上がり部が阻止して防ぐことができ、しかも、立ち上がり部は抑え材に備えられているので、家具に物落下防止専用の立ち上がり部品を取り付ける必要がなく、抑え材を設置するだけでよく、簡素な構造で物の落下を防ぐことができる。
【発明の効果】
【００１２】
本発明は、以上のとおりのものであるから、家具を建物の下地にしっかりと連結することができ、それでいて、家具の正面寄りの位置を傷付けることもない。また、家具の上に置いた物が地震時に落下するのを防ぐことができ、しかも、それを簡素な構造で実現することができる。
【発明を実施するための最良の形態】
【００１３】
次に、本発明の実施最良形態を図面に基づいて説明する。
【００１４】
図１及び図２に示す実施形態の家具転倒防止具１において、２は抑え材、３，３は索条である。抑え材２は、金属、樹脂、木などからなっており、その長さ寸法は、家具４の幅寸法に対応した寸法に設定され、図２（イ）〜（ニ）に示すように、家具の上端部の正面側の上面部に載置される載置部２ａと、家具の正面側を垂下する抑え部２ｂと、家具の上端面よりも上方に突出する立ち上がり部２ｃとを備え、更に、両端部には、家具の側面部の側に突出する位置決め部２ｄ，２ｄが備えられ、該位置決め部２ｄ，２ｄを、索条３の一端側を止め付ける止付け部としている。
【００１５】
索条３は、チェーン、ワイヤー、ロープなどからなっていて、上記の抑え材２の位置決め部２ｄ，２ｄに予め連結されているか、あるいは、家具４へのセッティング時に連結することができるよう、抑え材２とセットで備えられている。
【００１６】
上記の家具転倒防止具１のセッティングは、抑え材２の載置部２ａを家具４の上端部の正面側の上面部に載置し、抑え部２ｂを家具４の正面側に垂下するように沿わせ、位置決め部２ｄ，２ｄを家具４の側面部側に突出させるように設置し、該抑え材２の位置決め部２ｄ，２ｄに連結した索条３，３を張り状態にして壁５の下地６に止め付ければ完了する。
【００１７】
上記の家具転倒防止具１では、抑え材２の載置部２ａと抑え部２ｂとの働きで、索条３にある程度の傾斜を付けて壁に連結しても、家具４の転倒を索条３の引張りで有効的に阻止することができ、従って、家具と壁の下地６との間に高さ方向の距離がある程度ある場合であっても、索条３を壁５の下地６にしっかりと止め付けることができ、しかも、抑え材２は家具４の正面側を抑えるだけのものであるから、家具４の正面側を傷付けることもない。
【００１８】
また、抑え材２には、上記のように載置部２ａが備えられていることにより、地震のない状態で、索条３に多少の緩みがあったとしても、抑え材２が家具４の正面側にみだりに垂れ込んでくることもなく、きれいな納まり状態を維持できる。
【００１９】
更に、本実施形態では、抑え材２に立ち上がり部２ｃが備えられているので、図１（ロ）に示すように、家具４の上に置いた物７…が地震時に落下するのを立ち上がり部２ｃが阻止して、地震時の安全性をより高いものにすることができると共に、それを、抑え材２を家具４に設置するだけの簡素な構造で実現することができる。
【００２０】
以上に、本発明の実施形態を示したが、本発明はこれに限られるものではなく、発明思想を逸脱しない範囲で各種の変更が可能である。例えば、上記の家具転倒防止具１は、転倒防止を行う家具４の付属品として取引される場合は、長さ寸法が不変であってよいが、汎用品として取引される場合には、各種伸縮機構によって図２（ホ）に示すように伸縮させることができるようになされているとよいし、あるいは、端部部品と中間部品とに分割し、中間部品を切断によって全長を短くすることができるようになされたものであってもよい。
【００２１】
また、抑え材の形態や、抑え材のおける載置部、抑え部、立ち上がり部等の具体的に形態に制限はなく、各種形態をしていてよい。
【図面の簡単な説明】
【００２２】
【図１】図（イ）及び図（ロ）は実施形態の家具転倒防止具の取付け状態と使用状態を示す斜視図である。
【図２】抑え材を示すもので、図（イ）は図（ロ）のＩ−Ｉ線断面矢視図、図（ロ）は背面図、図（ハ）及び図（ニ）はそれぞれ斜視図、図（ホ）は変形例を説明する斜視図である。
【図３】従来例を示すもので、図（イ）は家具の設置状態を示す斜視図、図（ロ）〜図（ニ）はそれぞれ従来の家具転倒防止具の取付け例を示す一部断面側面図である。
【符号の説明】
【００２３】
１…家具転倒防止具
２…抑え材
２ａ…載置部
２ｂ…抑え部
２ｃ…立ち上がり部
３…索条
４…家具
５…壁
６…下地
７…物
【図１】
2006280692.tif 000003
【図２】
2006280692.tif 000004
【図３】
2006280692.tif 000005